(57)【特許請求の範囲】
【請求項１】
冷媒を圧縮する圧縮機と、高温冷媒の熱で水を加熱するための冷媒水熱交換器と、高圧冷媒を減圧する減圧器と、低温低圧冷媒を蒸発させる蒸発器としての空気熱交換器とが環状に接続された冷凍サイクルを備え、
前記冷媒水熱交換器と熱交換端末、シスタンユニット、循環ポンプを順次接続して温水回路を形成し、
少なくとも前記循環ポンプの回転数と前記温水回路の温水温度を制御する制御部と、この制御部に接続され、前記循環ポンプの回転数と前記温水回路における温水温度の設定や変更を行うリモコンを備えた温水暖房装置に於いて、
前記リモコンは床暖房パネルや融雪パネル等の熱交換端末を設定する端末設定機能を備え、
前記制御部は前記熱交換端末として暖房で使用する端末が選定された場合には、前記温水温度の初期設定温度を所定温度Ａ１とすると共に、前記循環ポンプの初期設定回転数を所定回転数Ｂ１とし、
前記熱交換端末として融雪で使用する端末が選定された場合には、前記温水温度の初期設定温度を前記所定温度Ａ１よりも低い所定温度Ａ２とすると共に、前記循環ポンプの初期設定回転数を前記所定回転数Ｂ１よりも低い所定回転数Ｂ２とすることを特徴とする温水暖房装置。
【請求項２】
前記制御部はリモコンによって前記熱交換端末の選定作業が実施されない場合には、運転を開始しないことを特徴とする請求項１記載の温水暖房装置。
【請求項３】
前記制御部は前記熱交換端末として暖房で使用する端末が選定された場合には、前記温水回路の温水温度を所定範囲Ａ１１で設定可能とし、
前記熱交換端末として融雪で使用する端末が選定された場合には、前記温水回路の温水温度を所定範囲Ａ２２で設定可能とし、
前記所定範囲Ａ１１の中心温度Ａ１１１よりも、
前記所定範囲Ａ２２の中心温度Ａ２２２が低いことを特徴とする請求項１又は２記載の温水暖房装置。
【請求項４】
冷媒を圧縮する圧縮機と、高温冷媒の熱で水を加熱するための冷媒水熱交換器と、高圧冷媒を減圧する減圧器と、低温低圧冷媒を蒸発させる蒸発器としての空気熱交換器とが環状に接続された冷凍サイクルを有する熱源機を複数台設置し、
各熱源機により加熱された温水を合流させる熱源側ヘッダーと、熱交換端末から戻ってきた温水を前記各熱源機に分流させる熱源側戻りヘッダーと、シスタンユニットと、循環ポンプを備えた熱源側ヘッダーユニットを備え、
前記冷媒水熱交換器と前記熱交換端末、前記シスタンユニット、前記循環ポンプを順次接続して温水回路を形成し、
少なくとも前記循環ポンプの回転数と前記温水回路の温水温度を制御する制御部を前記熱源側ヘッダーユニットに設け、前記制御部に接続され、前記循環ポンプの回転数と前記温水回路の温水温度の設定や変更を行うリモコンを備えた温水暖房装置に於いて、
前記リモコンは床暖房パネルやファンコンベクタ等の暖房で使用する熱交換端末や、融雪パネルや融雪回路等の融雪で使用する熱交換端末を、設定する端末設定機能を備え、
前記制御部は前記熱交換端末として暖房で使用する端末が選定された場合には、前記温水温度の初期設定温度を所定温度Ａ１とすると共に、前記循環ポンプの初期設定回転数を所定回転数Ｂ１とし、
前記熱交換端末として融雪で使用する端末が選定された場合には、前記温水温度の初期設定温度を前記所定温度Ａ１よりも低い所定温度Ａ２とすると共に、前記循環ポンプの初期設定回転数を前記所定回転数Ｂ１よりも低い所定回転数Ｂ２とすることを特徴とする温水暖房装置。
【請求項５】
前記制御部はリモコンによって前記熱交換端末の選定作業が実施されない場合には、運転を開始しないことを特徴とする請求項４記載の温水暖房装置。
【請求項６】
前記制御部は前記熱交換端末として暖房で使用する端末が選定された場合には、前記温水回路の温水温度を所定範囲Ａ１１で設定可能とし、
前記熱交換端末として融雪で使用する端末が選定された場合には、前記温水回路の温水温度を所定範囲Ａ２２で設定可能とし、
前記所定範囲Ａ１１の中心温度Ａ１１１よりも、
前記所定範囲Ａ２２の中心温度Ａ２２２が低いことを特徴とする請求項４又は５記載の温水暖房装置。
【発明の詳細な説明】
【技術分野】
【０００１】
この発明は、熱源機により加熱された温水を床暖房パネルや融雪パネルが接続された温水回路に循環させて暖房や融雪を行う温水暖房装置に関するものである。
【背景技術】
【０００２】
従来からこの種のものに於いては、電気ボイラや石油給湯機等の熱源機に床暖房パネルや融雪パネル等の放熱器（熱交換端末）を接続して、熱源機で加熱した温水を熱交換端末に循環することで、室内の暖房や屋外の融雪に利用することが行われていた。一般的に器具を設置する施工時に施工業者が、熱源機の温度設定や試運転が実施される際に、熱源機を暖房で使用する場合には、比較的高温の温水が必要なので、加熱する温水の温度は６０〜８０度に設定し、融雪で使用する場合には、高温の温水を使用すると雪を溶かす以上に無駄な放熱が発生して燃料費を浪費するので、加熱する温水の温度は２０〜５０度に設定して運転が行われる。
【０００３】
また、温水の循環量も融雪を行う場合は、暖房を行う場合よりも少量でまかなえるので、省電力のために温水回路で使用する循環ポンプの回転数も暖房より低めに設定して使用されていた。（例えば、特許文献１参照）
【先行技術文献】
【特許文献】
【０００４】
【特許文献１】特開２００３−１０６５４２号公報
【発明の概要】
【発明が解決しようとする課題】
【０００５】
この従来例のものでは、電気ボイラや石油給湯機等の熱源機の温水温度や循環ポンプの回転数の初期設定が、熱源機としての使用例が多い暖房で使用することを想定して設定されている。このため器具の設置施工時に、融雪で使用する場合には温水の設定温度を初期設定温度（例えば５０度）から２０度等に手動で下げて設定すると共に、循環ポンプの回転数を初期設定回転数（例えば３，４００ｒｐｍ）から２，８００ｒｐｍ等に手動で下げて設定する必要が生じるが、未熟な施工業者であったり施工ミスにより、融雪で使用する場合でも、誤って初期設定である（暖房に対応する）高い温水温度と循環ポンプの回転数のまま、設定を変更せずに融雪を行った場合には、雪が溶けた後も大気に放熱を続けることで、電気代や燃料費が過剰に消耗され、電気料金や燃料費が必要以上に上昇する問題が有った。
【課題を解決するための手段】
【０００６】
この発明はこの点に着目し上記課題を解決する為、特にその構成を、冷媒を圧縮する圧縮機と、高温冷媒の熱で水を加熱するための冷媒水熱交換器と、高圧冷媒を減圧する減圧器と、低温低圧冷媒を蒸発させる蒸発器としての空気熱交換器とが環状に接続された冷凍サイクルを備え、前記冷媒水熱交換器と熱交換端末、シスタンユニット、循環ポンプを順次接続して温水回路を形成し、少なくとも前記循環ポンプの回転数と前記温水回路の温水温度を制御する制御部と、この制御部に接続され、前記循環ポンプの回転数と前記温水回路における温水温度の設定や変更を行うリモコンを備えた温水暖房装置に於いて、前記リモコンは床暖房パネルや融雪パネル等の熱交換端末を設定する端末設定機能を備え、前記制御部は前記熱交換端末として暖房で使用する端末が選定された場合には、前記温水温度の初期設定温度を所定温度Ａ１とすると共に、前記循環ポンプの初期設定回転数を所定回転数Ｂ１とし、前記熱交換端末として融雪で使用する端末が選定された場合には、前記温水温度の初期設定温度を前記所定温度Ａ１よりも低い所定温度Ａ２とすると共に、前記循環ポンプの初期設定回転数を前記所定回転数Ｂ１よりも低い所定回転数Ｂ２とするものである。
【発明の効果】
【０００７】
この発明のによれば、リモコンで行われる熱交換端末の種類の設定が融雪系であるか暖房系であるかを制御部１５が判断して、熱交換端末の種類が融雪系の場合には、自動的に暖房系運転よりも、温水温度を低く、循環ポンプの回転数を低く設定するので、器具の設置時に温水温度の設定や循環ポンプ１３の回転数の設定を忘れた場合でも、融雪運転時の過剰な放熱によるの電気料金や燃料費の無駄を防止できる。
また、リモコンによって熱交換端末３３の選定作業が実施されない場合には、運転を開始できないようにすることで、更に確実に電気料金や燃料費の無駄を防止できる。
また、暖房設定時の所定範囲Ａ１１の略中心温度Ａ１１１よりも、融雪設定時の所定範囲Ａ２２の略中心温度Ａ２２２を低く設定することで、使用者が温水設定温度の変更を行った場合でも、過剰な温度変更を防止して電気料金や燃料費の無駄を防止できる。
また、熱源機が複数台接続される高出力の熱源であれば、更に確実に電気料金や燃料費の無駄を防止できる。
【図面の簡単な説明】
【０００８】
【図１】この発明の一実施形態を示す温水暖房装置の概略図。
【図２】同シスタンユニットの拡大図。
【図３】同リモコンの外観構造を表す図。
【図４】同表示部に表示されるメンテナンスメニューの表示。
【図５】同回路選択時の表示。
【図６】同融雪パネル選択時の表示。
【図７】同循環ポンプの回転数設定時の表示。
【図８】同融雪運転中の表示。
【図９】同暖房運転中の表示。
【図１０】同融雪設定時の温水温度の説明図。
【図１１】同暖房設定時の温水温度の説明図。
【図１２】同循環ポンプ回転数の説明図。
【発明を実施するための形態】
【０００９】
次に、本発明に係る発明の１実施形態を図面に基づいて説明する。
１は熱源機で、冷媒を圧縮する圧縮機２と高温高圧冷媒の熱で温水を加熱するための冷媒水熱交換器３と高圧冷媒を膨張弁等で減圧する減圧器４と低温低圧冷媒を蒸発させる蒸発器としての空気熱交換器５とが環状に接続された冷凍サイクル６と、圧縮機２からの吐出冷媒の温度を検出する吐出温度センサ７と、空気熱交換器５に熱源となる空気を供給するプロペラファンとファンモータから成る送風手段８と、熱源機１全体を制御する熱源機制御部９を備えている。
【００１０】
１０は熱源側ヘッダーユニットで、熱源側往きヘッダー１１と、熱源側戻りヘッダー１２と、該熱源側戻りヘッダー１２の上流側に接続した循環ポンプ１３と、該循環ポンプ１３の上流側に接続したシスタンユニット１４とを備え、更にこの温水暖房装置全体を制御する制御部１５を備えている。
【００１１】
前記熱源側往きヘッダー１１は、開閉バルブ１６を有するヘッダ接続口１７を複数備えると共に、各熱源機１の冷媒水熱交換器３により加熱された温水が流入する各ヘッダ接続口１７からの温水を合流する合流口１８を有し、熱源機１の冷媒水熱交換器３とヘッダ接続口１７との間に通電及び非通電により開閉する熱動弁１９を設け、合流口１８の下流には温水往き管２０を接続する往き管接続口２１を備えている。
【００１２】
前記熱源側戻りヘッダー１２は、開閉バルブ１６を有するヘッダ接続口１７を複数備えると共に、放熱して温度の低下した温水が流入する合流口１８と、該合流口１８に流入した温水を各熱源機１の冷媒水熱交換器３に戻すものであり、合流口１８の上流側に前記循環ポンプ１３を接続し、該循環ポンプ１３の上流側にはシスタンユニット１４を接続し、該シスタンユニット１４の上流には温水戻り管２２を接続する戻り管接続口２３を備えている。
【００１３】
前記シスタンユニット１４には温水の気液分離を行うと共に温水を蓄えるシスタン２４と、該シスタン２４上部に接続しシスタン２４の上部に溜まった空気を排出する空気抜き弁２５と、シスタン２４内の圧力を計測する圧力計２６と、シスタン２４内が所定圧力以上に上昇した場合に自動で排水を行いシスタン２４等が破損することを防止する安全弁２７を備えている。また、前記空気抜き弁２５の上部には手動で回転する摘み２８を備え、該摘み２８の回動によって空気抜き弁２５が開口されシスタン２４に溜まった空気を放出するものである。
【００１４】
又、前記熱源側往きヘッダー１１及び熱源側戻りヘッダー１２は、ヘッダ接続口１７の数を設置される熱源機１の台数より少なくとも１つ多く備えることで、設置やメンテナンス作業時の給水や排水作業で使用するものである。
【００１５】
２９はヘッダーボックスで、負荷側往きヘッダー３０及び負荷側戻りヘッダー３１を備え、前記負荷側往きヘッダー３０は、熱源側ヘッダーユニット１０の熱源側往きヘッダー１１から温水往き管２０を経由して流れる高温の温水が流入する負荷側分流口３２と、その流入した高温の温水を熱交換端末としての各放熱器３３に送る接続口３４を複数備えている。
【００１６】
前記負荷側戻りヘッダー３１は、各放熱器３３で放熱して温度の低下した温水が流入する接続口３５を複数備えると共に、各接続口３５に流入した温水を負荷側合流口３６に合流させ、前記温水戻り管２２を経由して熱源側ヘッダーユニット１０の戻り管接続口２３から熱源側ヘッダーユニット１０へ送るものである。
【００１７】
前記放熱器３３は屋外や屋根に設置された融雪パネル等の融雪用放熱器だけでなく、暖房で使用する場合には、床暖房パネルやファンコンベクタ等や室内の側壁に設置される輻射パネルなど循環型の温水を利用した暖房器具で適用できるものである。
【００１８】
３７は膨張タンクで、負荷側戻りヘッダー３１とシスタンユニット１４の間の温水戻り管２２等の温水回路３８から分岐した配管で接続され、該温水回路３８内における温水の膨張収縮の変動を吸収するして圧力を調整する。３９は冷媒水熱交換器３と熱源側往きヘッダー１１を接続する往き接続管。４０は冷媒水熱交換器３と熱源側戻りヘッダー１２を接続する戻り接続管。また、膨張タンク３７は負荷側戻りヘッダー３１の口数に余裕があり空いている接続口３５が存在する場合には、この接続口３５に直接に接続しても良い。
【００１９】
４１は室内に設置され、前記制御部１５と接続されるリモコンで、温水暖房装置の運転や温水温度の設定などボタン操作によて各種の設定や運転状態の表示を行うものである。前記リモコン４１には、複数の熱交換端末（図１に示した例では、融雪パネル３３）の運転状態や各種設定状態を表示可能な表示部２０１と、リモコン４１自体の電源をＯＮ・ＯＦＦするための「電源」ボタン２０２と、前記熱交換端末の運転開始を指示するための「運転」ボタン２０３と、前記熱交換端末に対しタイマーによる運転を指示するための「タイマー」ボタン２０４と、前記熱交換端末の運転態様の切替を指示する「運転切替」ボタン２０５と、適宜の節電運転等のガイドを行うための「ｅｃｏガイド」ボタン２０６と、画面表示を１つ前の画面に戻すための「戻る」ボタン２０７と、「メニュー／決定」ボタン２０８と、上下左右方向への十字キー２０９と、が備えられている。なお、図示を省略しているが、リモコン４１には、後述する各種の表示を行うための、演算部としてのＣＰＵや記憶部としてのメモリ等が内蔵されている。
【００２０】
次に温水暖房装置の設置作業の手順について２台の熱源機１と３台の放熱器３３を使用した場合について説明する。
まず融雪を行う屋外に３台の融雪パネル等の放熱器３３を設置し、各放熱器３３から１対の温水配管を導出し合計６本の配管がまとめられ、ヘッダーボックス２９の接続口３４・３５に各放熱器３３の温水配管を６本接続する。当然のこととして各放熱器３３の特性に応じて往き側の配管と戻り側の配管の方向性を考慮し、それぞれ１対に区別されて接続される。
【００２１】
次に２台の熱源機１と熱源側ヘッダーユニット１０を設置し、各熱源機１から２本の往き配管３９を熱源側ヘッダーユニット１０の熱動弁１９を介して熱源側往きヘッダー１１に接続し、２本の戻り配管４０を熱源側ヘッダーユニット１０の熱源側戻りヘッダー１２に接続する。
【００２２】
次に熱源側ヘッダーユニット１０とヘッダーボックス２９を温水往き管２０と温水戻り管２２で接続する。この時に温水戻り管２２の途中から分岐した配管で膨張タンク３７が接続される。
次にリモコン４１と熱源側ヘッダーユニット１０の制御部１５を信号線で接続し、各熱源機１や熱源側ヘッダーユニット１０を電源（図示せず）に接続する。
【００２３】
次に各熱交換端末の種類の設定方法（端末設定機能）について説明する。まず、前記「電源」ボタン２０２を用いてリモコン４１の電源をＯＮにした後、「電源」ボタン２０２と「メニュー／決定」ボタン２０８を同時に５秒間長押しすれば、図４に示す画面２０１Ａが表示される。
【００２４】
図４に示すように、前記画面２０１Ａにはメンテナンスを行うための多数の項目が表示され、前記十字キー２０９の下方向への押圧で選択項目がスクロールするものです。設置作業で必ず必要な熱交換端末３３の種類を設定するための項目が一番上部に「冷暖房端末設定をおこないます」が設けられており、これを選択して「メニュー／決定」ボタン２０８を押圧すると、表示部２０１が図５に示す画面２０１Bのように変化する。
【００２５】
この画面２０１Bでは８つの熱交換端末（この例では各熱交換端末の前記往き管及び前記戻り管の流れ制御という意味で「回路」と表示している。以下の各画面でも同様）の種類をそれぞれ入力可能となるように、「回路（１）（但し図中は丸文字で表示。以下同様）」「回路（２）」「回路（３）」・・「回路（８）」の各行がそれぞれ用意され、表示されている。この画面２０１Bにおいて、例えば前記「回路（１）」を選択して「メニュー／決定」ボタン２０８を操作することで、図６に示す画面２０１Cに移る。
【００２６】
この画面２０１Ｃでは、「回路（１）」と「接続する負荷を設定します」のメッセージが表示され、１つめの熱交換端末（図中では「回路（１）」）に対しどのような種類を選択するか、の入力が促される。図示のように前記十字キー２０９により上下方向へのスクロール操作を行うと、熱交換端末３３の名称（予め用意されている）が表示される。この例では、前記十字キー２０９のスクロール操作により、例えば、「融雪パネル」→「暖房パネル」→「床暖房パネル」→「温水ルームヒータ」→・・の順で表示させる。図６では、図１に示した前記の構成（融雪パネル３３が配置されている）に合わせて、「融雪パネル」を選択した状態を表している。この状態で「メニュー／決定」ボタン２０８を操作するれば、「回路（１）」における熱交換端末の種類が決定され図５の画面２０１Bに戻り、「回路（２）」、「回路（３）」と同じ選択入力操作を、接続される熱交換端末の数に応じて繰り返す。
【００２７】
この熱交換端末の設定では、１つめの熱交換端末として融雪で使用する端末（融雪パネル等）が選定された場合には、２つめ以後の熱交換端末の選定では融雪で使用する端末（融雪配管等）のみが選択可能となり、床暖房パネル等の暖房を目的とする熱交換端末は設定できない。また、同様に１つめの熱交換端末として暖房で使用する端末（床暖房パネル等）が選定された場合には、２つめ以後の熱交換端末の選定では暖房で使用する端末のみが選択可能となり、融雪パネル等の融雪を目的とする熱交換端末は設定できない。このように、熱交換端末の用途を融雪系と暖房系で混在しないように分離している。また、この熱交換端末の選定作業が実施されない場合には、試運転や通常運転を開始できないプログラミングが制御部１５に設定されている。
【００２８】
図５の画面２０１Bで接続される全ての熱交換端末の種類を選定完了して、「戻る」ボタン２０７を操作するれば、図４のメンテナンスメニューの画面２０１Aに戻る。
【００２９】
次に図４の画面２０１Aにて十字キー２０９を操作し、「試運転をおこないます」を選択して「メニュー／決定」ボタン２０８を操作するれば試運転が開始され、初期設定として熱交換端末に融雪パネル等の融雪系が接続されていれば、温水設定温度は２５度Ａ２、循環ポンプ１３の回転数を２，８００ｒｐｍ（図１２に示す所定回転数Ｂ２）で試運転を開始し、熱交換端末に床暖房パネル等の暖房系が接続されていれば、温水設定温度は５０度Ａ１、循環ポンプ１３の回転数を３，４００ｒｐｍ（図１２に示す所定回転数Ｂ１）で試運転を開始する。試運転では温水回路の水張りや空気抜き、水漏れ等の点検や、熱源機１が作動して正常に運転が行われるかの確認が行われる。
【００３０】
接続する融雪パネルや床暖房パネル等の枚数や温水回路の抵抗の大きさ等で、循環ポンプ１３の回転数を初期設定から変更したい場合には、図４の画面２０１Aにおいて十字キー２０９の上下操作を行い、「循環ポンプ回転数設定をおこないます」を選択し、「メニュー／決定」ボタン２０８を操作するれば、図７の画面２０１Dにおいて十字キー２０９を上方向に押圧すれば循環ポンプ１３の回転数の設定は上昇し、上限として４，４００ｒｐｍまで変化し、十字キー２０９を下方向に押圧すれば循環ポンプ１３の回転数の設定は下降し、下限として２，０００ｒｐｍまで温水回路の状態に応じて変化することができ、画面２０１Dに表示された数値で「メニュー／決定」ボタン２０８を操作するれば図４のメンテナンスメニューの画面２０１Aに戻る。
【００３１】
この図４のメンテナンスメニューの画面２０１Aでの設定が終了後に、「戻る」ボタン２０７を押圧すれば図８や図９の通常画面が表示される。
図８の画面２０１Eは熱交換端末に融雪系の端末を接続した場合の通常画面で、融雪運転中で、温水設定温度が融雪での初期設定温度である２５度（図１０に示す所定温度Ａ２）の表示を示すものであり、融雪運転が停止している時は画面が消灯するか、「運転中」の文字を「停止中」にしても良い。また、この通常画面において十字キー２０９を上方向に押圧すれば温水設定温度が上昇し、融雪運転での上限値として４０度まで変化し、十字キー２０９を下方向に押圧すれば設定温度は下降し、下限値として２０度まで変化することができるので（図１０に示すＡ２２の所定温度範囲で、その中心温度は３０度Ａ２２２）、積雪量と熱源機の電気料金や燃料消費量を勘案して使用者が希望する温度に変更して使用することができる。
【００３２】
図９の画面２０１Fは熱交換端末に暖房系の端末を接続した場合の通常画面で、暖房運転中で、温水設定温度が暖房での初期設定温度である５０度（図１１に示す所定温度Ａ１）の表示を示すものであり、暖房運転が停止している時は画面が消灯するか、「運転中」の文字を「停止中」にしても良い。また、この通常画面において十字キー２０９を上方向に押圧すれば温水設定温度が上昇し、暖房運転での上限値として６０度まで変化し、十字キー２０９を下方向に押圧すれば設定温度は下降し、下限値として３０度まで変化することができるので（図１１に示すＡ１１の所定温度範囲で、その中心温度は４５度Ａ１１１）、暖房が行われる室温と使用者の好みに応じて、使用者が希望する温度に変更して使用することができる。
【００３３】
次に図１によりこの温水暖房装置の融雪運転について説明する。
リモコン４１の「電源」ボタン２０２をオンし、「運転」ボタン２０３をオンすると、各熱源機１の冷凍サイクル６が動作し、冷凍サイクル６内の冷媒を加熱する。
それと同時に、熱源側ヘッダーユニット１０の熱動弁１９を非通電状態から通電状態にして閉鎖状態から開放状態にすると共に、熱源側ヘッダーユニット１０の循環ポンプ１３を動作させるものである。
【００３４】
それにより、各熱源機１の冷凍サイクル６で加熱された冷媒と、低温の温水が熱源機１の冷媒水熱交換器３にて熱交換を行い、加熱された温水は熱源機１の冷媒水熱交換器３から熱源側ヘッダーユニット１０の熱源側往きヘッダー１１のヘッダー接続口１７に流入し、合流した温水は熱源側往きヘッダー１１の合流口１８から温水往き管２０を経由し、ヘッダーボックス２９内の負荷側分流口３２にて負荷側往きヘッダー３０に流入する。
【００３５】
負荷側往きヘッダー３０の負荷側分流口３２に流入した高温の温水は、負荷側往きヘッダー３０の各接続口３４から各熱交換端末（融雪パネル）３３に流入して暖房を行い、放熱して温度の低下した温水は、負荷側戻りヘッダー３１の各接続口３５に流入して合流し、負荷側戻りヘッダー３１の負荷側合流口３６から温水戻り管２２を経由してシスタンユニット１４に戻り、シスタンユニット１４から循環ポンプ１３を経由して、熱源側戻りヘッダー１２の合流口１８に至り、更に熱源側戻りヘッダー１２の各接続口１７から各熱源機１の冷媒水熱交換器３に戻って再度加熱されるものである。
【００３６】
このように、リモコン４１で行われる熱交換端末３３の種類の設定が融雪系であるか暖房系であるかを制御部１５が判断して、熱交換端末３３の種類が融雪系の場合には、自動的に暖房系運転よりも、温水温度を低く、循環ポンプ１３の回転数を低く設定するので、器具の設置時に温水温度の設定や循環ポンプ１３の回転数の設定を忘れた場合でも、融雪運転時の過剰な放熱によるの電気料金や燃料費の無駄を防止できる。
また、リモコン４１によって熱交換端末３３の選定作業が実施されない場合には、運転を開始できないようにすることで、更に確実に電気料金や燃料費の無駄を防止できる。
また、暖房設定時の所定範囲Ａ１１の略中心温度Ａ１１１よりも、融雪設定時の所定範囲Ａ２２の略中心温度Ａ２２２を低く設定することで、使用者が温水設定温度の変更を行った場合でも、過剰な温度変更を防止して電気料金や燃料費の無駄を防止できる。
また、熱源機１が複数台接続される高出力の熱源であれば、更に確実に電気料金や燃料費の無駄を防止できる。
【符号の説明】
【００３７】
１  熱源機
２  圧縮機
３  冷媒水熱交換器
４  減圧器
５  空気熱交換器
１０  熱源側ヘッダーユニット
１３  循環ポンプ
１４  シスタンユニット
１５  制御部
３３  熱交換端末
４１  リモコン
２０１  表示部
２０２  「電源」ボタン
２０３  「運転」ボタン
２０８  「メニュー／決定」ボタン
２０９  十字キー
【図１】
0006521836.tif 000002
【図２】
0006521836.tif 000003
【図３】
0006521836.tif 000004
【図４】
0006521836.tif 000005
【図５】
0006521836.tif 000006
【図６】
0006521836.tif 000007
【図７】
0006521836.tif 000008
【図８】
0006521836.tif 000009
【図９】
0006521836.tif 000010
【図１０】
0006521836.tif 000011
【図１１】
0006521836.tif 000012
【図１２】
0006521836.tif 000013